(57)【要約】      （修正有）【課題】安価で使い勝手がよく、見栄えの良い装着状態を得ることのできるネクタイ止め具及び着脱式ネクタイを提供する。【解決手段】内側方向に湾曲形成された両翼部１１ａ、１１ｂ、外側に突設した横断面凹状の板バネ支持部１２、内側下端に立設したクランプ受け部１３とを備え全体を略Ｙ字形状に成形した合成樹脂製の止め具本体１と、縦方向に３本の切片を形成するとともに両側の切片と中央の切片の自由端をそれぞれ相対方向に湾曲させて耳部を設けた金属製の板バネ部材２と、一端をＴ字状基部とした鋼材製のクランプ部材３とからなる。また、バネ部材の両側切片耳部と中央切片耳部との間にクランプ部材のＴ字状基部を回動可能に挿嵌し、板バネ部材をその基端部より板バネ支持部内側の通孔に強制挿通してネクタイ止め具Ａを形成する。そして、このネクタイ止め具を結び目内に装着して着脱式ネクタイＢとする。【選択図】図１
0003169506.tif 000002
【実用新案登録請求の範囲】
【請求項１】
中央基部より内側方向に湾曲形成された両翼部、中央基部の外側中間に通孔が形成されるよう横断面凹状に突設された板バネ支持部及び中央基部の内側下端に立設されたピン状のクランプ受け部とを備え、全体が略Ｙ字形状になるよう一体成形された合成樹脂製の止め具本体と、上辺から縦方向に間隔をおいて２本の平行な切込みを入れ３本の切片を形成するとともに両側切片と中央切片の自由端をそれぞれ相対方向に湾曲させて耳部を形成した金属製の板バネ部材と、一端を両側に突出したＴ字状基部とした鋼材製のクランプ部材とからなり、前記板バネ部材両側の切片耳部と中央の切片耳部との間隙に前記クランプ部材のＴ字状基部を回動可能に挿嵌し、板バネ部材をその基端部より板バネ支持部内側の通孔内に強制挿通して止め具本体に挟着させたことを特徴とするネクタイ止め具。
【請求項２】
請求項１に記載のネクタイ止め具の構成において、止め具本体の左右両翼部によって形成される内側角を約１００゜に設定して形成するとともに、中央基部の内側下端に立設するピン状のクランプ受け部のピン高を約１２ｍｍに設定して形成したことを特徴とする請求項１に記載のネクタイ止め具。
【請求項３】
請求項１又は２に記載のネクタイ止め具の構成において、クランプ部材の全長を約４５ｍｍに、自由端から頭頂までの高さを約２７ｍｍに、自由端部から頭頂曲成部にかけての横巾を約６ｍｍに設定して形成したことを特徴とする請求項１又は請求項２に記載のネクタイ止め具。
【請求項４】
請求項１乃至３に記載の止め具本体の何れかを巻装して結び目を形成したネクタイであって、クランプ部材とクランプ受け部とを結び目より貫通突出させ、貫通突出したクランプ受け部に止めリングを嵌入することにより、請求項１乃至請求項３に記載のネクタイ止め具の何れかを装着してなることを特徴とする着脱式ネクタイ。
【考案の詳細な説明】
【技術分野】
【０００１】
本考案は、シャツ衿元に着脱可能なネクタイ止め具及び該ネクタイ止め具を予め結び目部分に巻装させた着脱式ネクタイに関する。
【背景技術】
【０００２】
この種のネクタイ止め具又は着脱式ネクタイは、下記特許文献のように従来より種々のものが提案されている。これらは基本的に、整形されたネクタイの結び目部分に着脱可能な止め具を取り付け、この止め具によって、あたかも通常のネクタイを衿元で結んだのと同じように装着できるように構成されていて、ネクタイをその都度結ぶ面倒がなく、その着脱も容易且つ迅速にできるようにすることを目的としている。
【０００３】
例えば、下記特許文献１の考案にあっては、予め結び目を整形したネクタイに金属製の止め具を取付け、シャツ衿元に押え金具を入れて受け金具で固定するもので、台の先端に押え金具と受け台とを一体に形成し、押え金具を湾曲にしぼりバネの役割をした状態にして受け台に押え金具が強く挟むように構成されている。
このネクタイ止め具は、ネクタイを衿元に素早く装着ができる利点があるが、金属製であるため成形加工に手間が掛かり、また、着用者の肌に直接触れる押さえ金具の部分が大きく肌触りが悪い等の問題がある。
【０００４】
また、下記特許文献２の考案は、全体が合成樹脂製の薄板材によって成形されネクタイ止め具で、中央部が前面に向かって凸円弧状に湾曲した本体と、この本体の両側から斜め上方に突出する一対の差し込み片と、本体前面に設けられ上下方向に開口するネクタイ通し部と、本体裏面に設けられ本体から逆Ｕ字状に突出するフック部とを具備したことを特徴とする。このネクタイ止め具は、普通のネクタイを使用することができ、ネクタイ通し部にネクタイを通すことにより結び目が緩み難いという利点はあるが、殆どの部材が合成樹脂製であるためフック部の強度と挟持力に問題があり、また、首周りに巻き付けなかった分のネクタイ小剣部の長さを何らかの方法で調整する必要があり利便性という点で問題がある。
【０００５】
また、下記特許文献３の考案は、ネクタイの結び目内に埋設した固定片、この固定片の上部に回動可能に軸支され結び目上縁に露出して固定片背面に対向する位置に設けた狭持片、固定片の背面下部に突設され且つ結び目背面を貫通して前記狭持片の回動端に対向する位置に設けた軸状受け部材、この受け部材の基部外周に嵌合され固定片を結び目内に固定する止めリング及び固定片の背面に添設する形状保持用パッドによって構成され、前記固定片と前記挟時片との間にシャツの衿を挟み込んでネクタイを装着する構成となっている。
このネクタイ止め具は、部材の多くを合成樹脂素材により形成されているので肌触りがよく、結び目厚に応じて受け部材の高調整ができて便利であるが、全体的に部品点数が多くしかも複雑であるため、加工や組立に手間がかかり製作コストが高くなってしまう欠点があり、また、装着時に挟持片の頭部がネクタイの結び目上縁より露出してしまい見栄えが良くないという問題もある。
【先行技術文献】
【特許文献】
【０００６】
【特許文献１】登録実用新案第３０２５５０４号公報
【特許文献２】登録実用新案第３０６２８４９号公報
【特許文献３】登録実用新案第３１４６８９３号公報
【考案の概要】
【考案が解決しようとする課題】
【０００７】
本考案は、上記従来品の欠点に鑑みなされたもので、製作を容易にして製作コストを下げ、簡単軽量化を図って使い易くするとともに、ネクタイ結び目の形状を効果的に保持して普通にネクタイを結んだのと同様に見栄えの良い装着状態を得ることのできるネクタイ止め具及び着脱式ネクタイを提供することを課題としてなされたものである。
【課題を解決するための手段】
【０００８】
上記課題を解決するため、請求項１のネクタイ止め具は、所要巾からなる中央基部より内側方向に湾曲形成された両翼部、中央基部の外側中間付近に所定の通孔が形成されるよう突設された横断面凹状の板バネ支持部、中央基部の内側下端付近に立設されたピン状のクランプ受け部とを備え、全体がネクタイの結び目形状に対応した略Ｙ字形状になるよう合成樹脂材によって一体成形された止め具本体と、上辺から縦方向に所要間隔をおいて２本の平行な切込みを入れ３本の切片を形成するとともに左右両側の切片と中央の切片の自由端をそれぞれ相対方向に湾曲させて耳部を形成した金属製の板バネ部材と、一端を両側に突出したＴ字状基部とした鋼材製のクランプ部材とからなり、前記板バネ部材両側の切片耳部と中央の切片耳部との間隙に前記クランプ部材のＴ字状基部を回動可能に挿嵌し、さらに、前記板バネ部材をその基端部より前記板バネ支持部の内側に形成された通孔内に強制挿通して止め具本体に挟着させたことを特徴とする。
【０００９】
請求項２のネクタイ止め具は、請求項１に記載のネクタイ止め具の構成において、止め具本体の左右両翼部によって形成される内側角を約１００度に設定して形成するとともに、中央基部の内側下端付近に立設されるピン状のクランプ受け部のピン高を約１２ｍｍに設定して形成したことを特徴とする。
【００１０】
請求項３のネクタイ止め具は、請求項１又は請求項２に記載のネクタイ止め具の構成において、そのクランプ部材の全長を約４５ｍｍに、自由端から頭頂（締結時におけるクランプ部材の最上端）までの高さを約２７ｍｍに、自由端部から頭頂曲成部にかけての横巾を約６ｍｍに設定して形成したことを特徴とする。
【００１１】
請求項４の着脱式ネクタイは、請求項１乃至請求項３に記載のネクタイ止め具本体の何れかを巻装して結び目を形成したネクタイであって、クランプ部材のＴ字状基部を除く部分とクランプ受け部とを結び目より貫通突出させ、該貫通突出したクランプ受け部に止めリングを嵌入することにより、請求項１乃至請求項３に記載のネクタイ止め具の何れかを装着したことを特徴とする。
【考案の効果】
【００１２】
請求項１の考案によれば、その構成部材を止め具本体、板バネ部材及びクランプ部材のみとし、それぞれの構成も簡単な構成としたので、製作や組み立てが容易で安価に製作することができる。また、これら各部材は、それぞれ最適な素材を使用するとともに機能を有効に発揮できるような構造を有しているので、これをネクタイに適用した場合、ネクタイ結び目が通常のネクタイを衿元で結んだのと同様に整形され、その着脱も的確且つ容易にでき、利便性と装飾性にも優れた止め具となっている。
【００１３】
請求項２の考案によれば、請求項１の効果に加え、止め具本体の左右両翼部によって形成される内側角を従来の止め具のそれより鋭角になるよう設定し、また、止め具本体の中央基部の内側下端付近に立設されたピン状のクランプ受け部のピン高（長さ）を従来の止め具のそれより高く設定して形成されているので、これをネクタイに適用した場合、ネクタイ結び目を自然な形状に保持することができ、また、装着したネクタイが横から見てシャツ衿から直線的に垂れ下がる自然な様相を保持することができる。
【００１４】
請求項３の考案によれば、請求項１又は請求項２の効果に加え、クランプ部材の全長、自由端から頭頂までの高さ、自由端部から頭頂曲成部にかけての横巾を、従来の止め具のそれよりそれぞれ長く高く広く設定して形成されているので、シャツ衿への確実で安定的な取り付けが可能となり、また、これをネクタイに適用した場合、ネクタイ結び目部分の上方生地が余って溜まることがなく、シャツ衿元のＶ部位ラインが直線的に整形され自然でスッキリした感じとなる。
【００１５】
請求項４の考案によれば、請求項１乃至請求項３に記載のネクタイ止め具の何れかを適用したネクタイとしたことにより、請求項１乃至請求項３の何れかの効果を備えた着脱式ネクタイとすることができる。
【図面の簡単な説明】
【００１６】
【図１】本考案に係る着脱式ネクタイの概略斜視図。
【図２】同ネクタイの概略縦断側面図。
【図３】本考案に係るネクタイ止め具の分解斜視図。
【図４】同止め具の（ａ）平面図、（ｂ）正面図、（ｃ）底面図、（ｄ）背面図、（ｅ）側面図、（ｆ）解放状態での側面図。
【図５】両翼部の内側角を１００゜にした場合の（ａ）止め具本体の略平面図、（ｂ）ネクタイ結び目部分の略平面図、（ｃ）ネクタイの装着状態説明図。
【図６】両翼部の内側角を従来角度１２０゜にした場合の（ａ）止め具本体の略平面図、（ｂ）ネクタイ結び目部分の略平面図、（ｃ）ネクタイの装着状態説明図。
【図７】クランプ受け部の長さを１２ｍｍにした場合の（ａ）板バネ部材付き止め具本体の略側面図、（ｂ）ネクタイの装着状態説明図。
【図８】クランプ受け部の長さを従来長さ８ｍｍにした場合の（ａ）板バネ部材付き止め具本体の略側面図、（ｂ）ネクタイの装着状態説明図。
【図９】クランプ部材の形状寸法を全長４５ｍｍ、高さ２７ｍｍ、巾６〜６ｍｍにした場合の（ａ）ネクタイ止め具の略側面図、（ｂ）クランプ部材の部分正面図、（ｃ）ネクタイの装着状態説明図。
【図１０】クランプ部材の形状寸法を従来寸法の全長３７ｍｍ、高さ２２ｍｍ、巾３〜６ｍｍにした場合の（ａ）ネクタイ止め具の略側面図、（ｂ）クランプ部材の部分正面図、（ｃ）ネクタイの装着状態説明図。
【考案を実施するための形態】
【００１７】
以下、本考案の実施の形態を図面に基づいて説明する。
ネクタイ止め具（Ａ）は、止め具本体１、板バネ部材２、クランプ部材３によって構成される。止め具本体１は、適度な剛性と弾性を有するプラスチック素材からなり、全体がネクタイ（Ｂ）の結び目形状に対応した略Ｙ字形状をなすよう成形され、所要巾からなる中央基部１０と、該中央基部より内側方向に湾曲形成された左右両翼部１１ａ、１１ｂと、中央基部１０の外側中間付近に突設された横断面凹状の板バネ支持部１２と、中央基部１０の内側下端付近に立設されたピン状のクランプ受け部１３とを構成要部とし、これらを一体的に成形加工したものである。
【００１８】
上記止め具本体１の両翼部１１ａ、１１ｂは、その内側角が約１００゜になるよう設定して形成されている。この角度は、ネクタイ止め具（Ａ）をネクタイに適用した際に、ネクタイの結び目が自然な形（楕円丸型で、ネクタイを自分で結んだ場合と同様な形）になるように設定されたものである（図５参照）。
この種の従来のネクタイ止め具にあっては、この角度が１２０゜程に設定されているものが多く、この角度は、加工者がネクタイを巻き易くする為に設定した便宜上の角度にすぎず、ネクタイ結び目が極めて不自然な形（扁平楕円：自分で結んだ場合には本来生じ得ない不自然な形状）になってしまい、これが着脱式ネクタイのファッション性を損なう要因となっている（図６参照）。
【００１９】
前記中央基部１０の外側中間付近に突設された板バネ支持部１２は、板バネ部材２を基端部より強制挿通して挟圧固定するためのもので、中央基部１０の外側面との間で通孔１２ａが形成されるよう横断面凹状に形成されている。また、その内側面中央には縦方向下方に向かって切溝１２ｂが穿設されている。そして、中央基部１０の外側面には、該板バネ支持部１２の上部開口縁の上方位置において一対の小突起１４が形成されている。
【００２０】
前記中央基部１０の内側下端付近に立設されたクランプ受け部１３は、クランプ部材３の自由端部がその頭部に当接しこれを係止するためのもので、その長さ（ピン高）が約１２ｍｍになるよう設定して形成されている。この長さは、ネクタイ止め具（Ａ）をネクタイに適用した場合、装着したネクタイが横から見てシャツ衿元から直線的に下方に垂れ下がる自然な様相（通常のネクタイを自分で結んだ場合に生じる自然な様相）を保持するのに最適な長さになるよう設定されたものである（図７参照）。
この種の従来の着脱式ネクタイ止め具にあっては、この長さを８ｍｍ程に設定しているものが多く、この程度の長さではネクタイがクランプ部材の強度のせいでネクタイがシャツ側（内側）に引っ張られ（押し付けられ）てシャツに密着してしまい、ネクタイの着装スタイルが極めて不自然で見栄えの悪い様相になってしまう（図８参照）。
【００２１】
前記板バネ部材２は、弾性の金属製板材からなり、止め具本体１の縦寸法と通孔１２ａの巾寸法とほぼ同寸法で下方先端が先細になるように成形されている。そして、上辺から縦（長手）方向に所要間隔をおいて２本の平行な切込みを所定の位置（深さ）まで入れ切片２０ａ、２０ｂ、２０ｃを形成し、さらに、切片２０ａ、２０ｃの自由端と切片２０ｂの自由端をそれぞれ相対する方向に湾曲させることにより略半円形状の耳部２１ａ、２１ｂ、２１ｃが形成されている。また、下方中央の所定箇所にはストッパー突部２２が形成されている。
【００２２】
前記クランプ部材３は、金属製の鋼材からなり、その一端が左右両側に突出した部分（突出部）３０ａ、３０ｂを備えたＴ字状基部３０が形成されている。このＴ字状基部３０は、板バネ部材２の耳部２１ａ、２１ｃと耳部２１ｂとの間に回動可能に嵌装挟持され、これにより、当該クランプ部材３は、板バネ部材２の両側の切片２０ａ、２０ｃと中央の切片２０ｂとの相対向する弾性力により、締結位置（図４（ｅ）の位置）と解放位置（図４（ｆ）の位置）のいずれか回動する方向に付勢される。
【００２３】
また、クランプ部材３は、全長が４５ｍｍ、その自由端から頭頂（締結時におけるクランプ部材３の最上端）までの高さが２７ｍｍ、自由端部位から取り付け部（頭頂曲成部）にかけての横巾が６ｍｍに設定（数値は何れも概数）され図示形状に湾曲成形されている。これにより、確実且つ安定的な取り付けが可能となり、また、ネクタイ止め具（Ａ）をネクタイに適用した場合、ネクタイ結び目の上方生地ラインが直線的に整形され、シャツ衿元のＶ部位が自然でスッキリした感じとなる（図９参照）。
この種の従来のネクタイ止め具にあっては、全長が３７ｍｍ、自由端から頭頂までの高さが２２ｍｍ、自由端部位の横巾が６ｍｍで取り付け部位の横巾が３ｍｍ程度に設定されているのが一般的である。これによると、クランプの長さと高さが不足しているため、巻装したネクタイ結び目の上方ラインの生地が余り、その余った生地がシャツ衿のＶ部位に溜まって見栄えの悪い状態になってしまい、また、取り付け部位（頭頂曲部）の横巾が細くなっているためシャツへの取り付け強度が弱く、取り付け部位が上下や左右にずれ易く安定感に欠けるものとなっていた（図１０参照）。
【００２４】
次に、止め具（Ａ）の組み立て方法について説明する。
先ず、板バネ部材２の左右両側の切片２０ａ、２０ｃと中央の切片２０ｂとを反対方向にやや押し広げながら耳部２１ａ、２１ｃと耳部２１ｂとの間隙にクランプ部材３のＴ字状基部３０の部分を挿入する。これにより、Ｔ字状基部３０の両側突出部３０ａ、３０ｂが板バネ部材２の切片２０ａ、２０ｃによって、また、Ｔ字状基部３０の中央部付け根部分が切片２０ｂよってそれぞれ対向方向に押圧むされ、クランプ部材３が板バネ部材２によって挟持された状態となる。
【００２５】
続いて、板バネ部材２をその基端部より板バネ支持部１２の通孔１２ａ内に強制的に挿通させる。この強制挿通は、板バネ部材２の下方中央に設けられたストッパー突部２２を板バネ支持部１２の内側面中央に設けられた切溝１２ｂに対応させながら、ストッパー突部２２が板バネ支持部１２の外に出る位置まで押し込むことにより行う。これにより、板バネ部材２は、板バネ支持部１２の樹脂弾圧力による挟圧と、ストッパー突部２２と板バネ支持部１２の下方開口縁との係合係止によりその抜脱が阻止され、さらに、中央基部１０に突設された左右一対の小突起１４が板バネ部材２の切片２０ａ、２０ｃに当接してこれを押圧するため、板バネ支持部１２が板バネ部材２をより強固に挟着固定する。
【００２６】
ネクタイ止め具（Ａ）とネクタイ（Ｂ）の装着方法について説明すると、装着するネクタイ（Ｂ）は、通常のネクタイと同様に結び目を形成する中間部、前面に垂れ下がる大剣部及び背面に垂れ下がる小剣部とからなり（中間部は首に巻く必要がないのでその分短く作成されている。）、このネクタイ（Ｂ）の中間部を止め具本体１に巻装させて所望形状の結び目を形成する。このネクタイ（Ｂ）と止め具（Ａ）との装着固定は、ネクタイ（Ｂ）を止め具（Ａ）に巻装して結び目を形成した際に、ネクタイ（Ｂ）のクランプ部材３の基部に対応する箇所と止め具本体１のクランプ受け部１３に対応する箇所に予め貫通穴（図示せず）を設けておき、該貫通穴にクランプ部材３のＴ字状基部３０を除く部分及び止め具本体１のクランプ受け部１３をそれぞれ貫通突出させ、貫通突出したクランプ受け部１３に止めリング４を嵌入することにより行う。
【００２７】
以上の如く構成されたネクタイ止め具及び該ネクタイ止め具を巻装した着脱式ネクタイにおいては、クランプ部材３を上下（開閉）方向のいずれかに強制回動すると、Ｔ字状基部３０が水平状態を境に回動方向に板バネ部材２の弾圧力を受ける。すなわち、クランプ部材３を閉（締結）方向に強制回動させると、板バネ部材２の弾圧力が下（閉）方向に作用して対峙するクランプ受け部１３の頭部とクランプ部材３の自由端部とが圧接された状態となり、止め具本体１とクランプ部材３との間に介装するシャツ衿が挟圧される。また、クランプ部材３を開（解放）方向に強制回動させると、板バネ部材２の弾圧力が上（開）方向に作用し、Ｔ字状基部３０の下端縁が板バネ部材２の中央切片の耳部２１ｂの内側と係合し解放位置（クランプ部材３のＴ字状基部３０が水平状態よりやや上方に傾いた位置）で係止する。
【００２８】
以上のとおり、本考案によるネクタイ止め具及び着脱式ネクタイは、部品数が少なくしかも構造も単純であるため容易且つ安価に製作でき、また、ネクタイの結び目形状を効果的に保持して見栄えの良い装着状態を得ることができるので装飾的にも優れている。そして又、本考案に係る着脱式ネクタイは、首周りにネクタイ生地が巻かれない構造となっているので通常のネクタイを付けるよりも体感温度が低くクールビスネクタイとしては最適なものである。
【符号の説明】
【００２９】
（Ａ）ネクタイ止め具
（Ｂ）ネクタイ
１  止め具本体
１０  中央基部
１１ａ，１１ｂ  翼部
１２  板バネ支持部
１２ａ  通孔  
１２ｂ  切溝
１３  クランプ受け部
１４  小突起
２  板バネ部材  
２０ａ，２０ｂ，２０ｃ  切片
２１ａ，２１ｂ，２１ｃ  耳部
２２  ストッパー突部
３  クランプ部材
３０  Ｔ字状基部          
３０ａ，３０ｂ  突出部
４  止めリング
【図１】
0003169506.tif 000003
【図２】
0003169506.tif 000004
【図３】
0003169506.tif 000005
【図４】
0003169506.tif 000006
【図５】
0003169506.tif 000007
【図６】
0003169506.tif 000008
【図７】
0003169506.tif 000009
【図８】
0003169506.tif 000010
【図９】
0003169506.tif 000011
【図１０】
0003169506.tif 000012